(57)【要約】      （修正有）【課題】安全性の高い耳かきを提供する。【解決手段】耳かきは、真っ直ぐな細線を、先端部に略Ｕ字状の作用部を設けて柄の接続部付近を略Ｕ字状に曲げ細線部とし、柄と細線部の根元を圧着、又は接着する。または、真っ直ぐな細線を、先端部に略Ｕ字状の作用部を設けて細線部とし、細線部の作用部先端から柄の接続部までの細線の長さを３０ｍｍ以上とし、柄と細線部の根元を圧着、又は接着する。【選択図】図６
0003158477.tif 000002
【実用新案登録請求の範囲】
【請求項１】
真っ直ぐな細線を、先端部に略Ｕ字状の作用部を設けて柄の接続部付近を略Ｕ字状に曲げ細線部とし、柄と細線部の根元を圧着、又は接着し接続した事を特徴とする耳かき
【請求項２】
真っ直ぐな細線を、先端部に略Ｕ字状の作用部を設けて細線部とし、細線部の作用部先端から柄の接続部までの細線の長さを３０ｍｍ以上とし、柄と細線部の根元を圧着、又は接着し接続した事を特徴とする耳かき
【請求項３】
丸断面の真っ直ぐな細線を先端部に略Ｕ字状の作用部を設けてロールし楕円、又は上下に平面を有した形状とし、細線部とし、細線部の作用部先端から柄の接続部までの細線の長さを３０ｍｍ以上とし、柄と細線部の根元を圧着、又は接着し接続した事を特徴とする耳かき
【請求項４】
請求項１から請求項３のいずれか一項に記載の耳かきにおいて細線部を複数組み合わせた事を特徴とする耳かき
【請求項５】
請求項１から請求項４のいずれか一項に記載の耳かきにおいて細線部に、作用部のたわみを抑えるために、柄から細線にかけてスリーブで覆うようにしたスリーブ部を設け、柄側のスリーブ肉厚より作用部側のスリーブ部の肉厚を少なくした事を特徴とした耳かき
【考案の詳細な説明】
【技術分野】
【０００１】
本考案は、作用部に細線を用いた安全性の高い耳かきに関する。
【背景技術】
【０００２】
従来、作用部に細線を使用する耳かきにおいて、細線部の長さが作用部先端から柄の付け根部まで約２０から２５ｍｍとなっており、踏みつけたり、乱暴な扱い、曲げ過ぎの繰り返し等により、金属疲労から細線が柄の付け根付近で折れることがある。これにより、気づかず使用する等により、折れた先端が耳の外耳付近に刺さる、折れた細線部が耳内に残る、と言う問題が発生する。
【０００３】
例えば、「本考案は、柄部の挿通部に細線ワイヤーの接合基端を挿通して接着固定させたもので、接着固定後に研磨加工等の加工を施す必要がないため、細線ワイヤーを傷めたり、削ったりすることが皆無のもので製品の安全性、歩留まりの大幅な向上と成るワイヤー式耳掻き具を提供するものである。」
「そして柄部材１の扁平装着穴１１ａに、作用部材２（２ａ，２ｂ）の基端部分を挿入し、前記状態で棒状の柄部材１をプレス加工で所望の形状、例えば板状にして、前後端を幅狭に絞ったり、表面に所定の商標や模様を設けた柄部１Ａに形成する。」
これらから、細線と付け根部の強度や折れに付いて起きうる事故に付いては考慮されていないことが伺える。
【特許文献１】登録実用新案第３１２８３７１号公報
【特許文献２】特許公開２００４−３０５３５７号公報
【考案の開示】
【課題を解決するための手段】
【０００４】
本考案の耳かきは、真っ直ぐな細線を、先端部に略Ｕ字状の作用部を設けて柄の接続部付近を略Ｕ字状に曲げ細線部とし、柄と細線部の根元を圧着、又は接着し接続したものである。
また、真っ直ぐな細線を、先端部に略Ｕ字状の作用部を設けて細線部とし、細線部の作用部先端から柄の接続部までの細線の長さを３０ｍｍ以上とし、柄と細線部の根元を圧着、又は接着したものである。
また、丸断面の真っ直ぐな細線を先端部に略Ｕ字状の作用部を設けてロールし楕円、又は上下に平面を有した形状とし、細線部とし、細線部の作用部先端から柄の接続部までの細線の長さを３０ｍ以上とし、柄と細線部の根元を圧着、又は接着したものである。
さらに、細線部を複数組み合わせたものである。
その上、細線部に、作用部のたわみを抑えるために、柄から細線にかけてスリーブで覆うようにしたスリーブ部を設け、作用部方向にスリーブ部を徐々に肉厚を少なくしたものである。
【考案の効果】
【０００５】
外耳道の深さは鼓膜まで２０ｍｍから２５ｍｍ、最大でも３０ｍｍとされている。これに対応し、本考案の耳かきは、、細線部が長さが３０ｍｍ以上としてあるため、鼓膜に当たり使用することは無いので、万が一、柄の付け根で折れても、耳の外耳部に折れた付け根部が刺さったり、折れた細線部が耳に残ったりする事が無く、折れても細線部の付け根部が外耳道から飛び出ているので、外耳道に刺さることなく、引き抜く事ができ、安心して使用できると共に、最適なたわみを得られる。
【考案を実施するための最良の形態】
【０００６】
真っ直ぐな細線を、先端部に略Ｕ字状の作用部を設けて柄の接続部付近を略Ｕ字状に曲げ細線部とし、柄と細線部の根元を圧着、又は接着し接続したもので、接続部から折れた際に、先端が刺さりにくくするものである。
また、真っ直ぐな細線を、先端部に略Ｕ字状の作用部を設けて細線部とし、細線部の作用部先端から柄の接続部までの細線の長さを３０ｍｍ以上とし、柄と細線部の根元を圧着、又は接着したものである。
上記の場合、約０．７ｍｍほどの太めな細線を用いた場合は良いが、一般に細線を用いた耳かきの場合、外耳道を掻く感覚から細線の径は外耳面に当たる面は、約０．３から０．５ｍｍが良い考えられる。しかし、これらの太さの細線を使用し、細線部の作用部先端から長さを３０ｍｍ以上とした場合、細線のたわみが多く、耳かきとしての適合範囲が狭い。
このため、約０．７ｍｍの丸断面の真っ直ぐな細線を先端部に略Ｕ字状の作用部を設けてロールし楕円、又は上下に平面を有した形状とし、細線部とし、細線部と柄の接続部までの細線の長さを３０ｍｍ以上とし、柄と細線部の根元を圧着、又は接着したものである。
さらに、前記記載のそれぞれの耳かきにおいて、細線部を複数組み合わせた事により掻く効率を増すと共に、たわみを少なくした。
また、細線部に、作用部のたわみを抑えるために、柄から細線にかけてスリーブで覆うようにしたスリーブ部を設け、柄側のスリーブ肉厚より作用部側のスリーブ部の肉厚を少なくした事を特徴とした事により有効なたわみを得るものである。
【実施例】
【０００７】
以下、本考案の耳かきの実施例を図面によって具体的に説明する。
図１は、細線部の根元にＵ字状受け部を設けた、実施例の正面図と平面図を示す。
耳かき１は、細線をＵ字状に丸め、さらにその先端を曲げることにより、作用部３を形成し、作用部３の反対側を揃え、Ｕ字状のＵ字受け部５を設け細線部２とし、細線部２の根元を柄４端面に設けた孔に差込、圧着又は接着して接続したものである。細線は０．７ｍｍ前後のステンレス鋼線やピアノ線の丸線を使用するのが望ましく、Ｕ字受け部５は中心半径１．５ｍｍ前後の滑らかな曲線とする事により、細線部の曲げに対して柄との付け根付近に応力が掛かり、折れる際にＵ字受け部５と柄の間で折れるものとなる。
図２は、細線部を長い細線部とした別の実施例の正面図と平面図を示す。
耳かき１は、細線をＵ字状に丸め、さらにその先端を曲げることにより、作用部３を形成し、作用部の反対側を揃え、長い細線部２ａとし、長い細線部２ａの根元を柄４端面に設けた孔に差込、圧着又は接着して接続すると共に、長い細線部２ａは接続後の柄４の根元から作用部３の先端部までの長さを３０ｍｍ以上に長くしたものである。先端細線部は細線の強度面から、０．７ｍｍ前後の丸線を使用するのが望ましく、長い細線２ａは、柄で接続されているため折れる際に、柄の根元で折れる。０．７ｍｍのステンレス鋼線を０．４ｍｍ厚にロールした際、柄４の根元から作用部３の先端部までの長さを３２ｍｍとし、２枚重ねとしたものがたわみ具合も良く、良好であった。
【０００８】
図３は、丸断面細線をロールし、長い細線部とした別の実施例の正面図と平面図を示す。
耳かき１は、細線をＵ字状に丸め、ロール後、さらにその先端を曲げることにより、作用部３を形成し、作用部の反対側を揃え、長い細線部２ａとし、長い細線部２ａの根元を柄４端面に設けた孔に差込、圧着又は接着して接続すると共に、長い細線部２ａは接続後の柄４の根元から作用部３の先端部までの長さを３０ｍｍ以上にしたものである。先端細線部は０．７ｍｍ前後の丸線を使用するのが望ましく、折れる際に柄の付近で折れるものとなる。ここでの細線のロールは楕円形や、上下に平面を形成することにより、外耳面に当たる面の径を０．３ｍｍから０．５ｍｍとする事により、適合性を増すものである。
図４は、細線部を複数用い、長い細線部とした別の実施例の正面図と平面図を示す。
耳かき１は、細線をＵ字状に丸め、ロール後、さらにその先端を曲げることにより、作用部３を形成し、作用部の反対側を揃え、長い細線部２ａとし、２本の長い細線部２ａ根元を柄４端面に設けた孔に差込、圧着又は接着して接続すると共に、長い細線部２ａは接続後の柄４の根元から作用部３の先端部までの長さを３０ｍｍ以上にしたものである。先端細線部は０．７ｍｍ前後の丸線を使用するのが望ましく、折れる際に柄の付近で折れるものとなる。ここでの長い細線は２本を示すが３本でも良い。また、細線は平面状となるため、柄４との接続側を溶着や接着せずとも、治具等で押さえれば良いものである。
【０００９】
図５は、細線部を複数用いた別の実施例の正面図と平面図を示す。
耳かき１は、細線をＵ字状に丸め、さらにその先端を曲げることにより、作用部３を形成し、作用部３の反対側を揃え、Ｕ字状のＵ字受け部５を設け細線部２とした大、中、小の３本の細線部２の根元はＵ字受け部付近を治具で押さえたり、溶着、接着しても良い、さらに、細線部２は、柄４端面に設けた孔に差込、接着して接続したものである。細線は大を０．５ｍｍ前後、中、小は０．４ｍｍ前後の丸線を使用するのが望ましく、Ｕ字受け部は中心半径１．５ｍｍ前後の滑らかな曲線とする事により、細線部の曲げに対して柄との付け根付近に応力が掛かり、折れる際にＵ字受け部５と柄の間で折れるものとなる。
【００１０】
図６は、細線部を長い細線部とし、スリーブを設けた別の実施例の正面図と平面図（一部断面図）を示す。
図６（ａ）耳かき１は、細線をＵ字状に丸め、さらにその先端を曲げることにより、作用部３を形成し、作用部３の反対側を揃え、大、中、小の３本の長い細線部２ａを構成し、中心に細線部を通す孔を設けたスリーブ６に３本の細線を通し、長い細線部２ａの根元を押さえると共に、長い細線部２ａの根元を柄４端面に設けた孔に差込、圧着又は接着して接続したものである。細線は大を０．５ｍｍ前後、中、小は０．４ｍｍ前後の丸線を使用するのが望ましい、長い細線部２ａは接続後の柄４の根元から作用部３の先端部までの長さを３２ｍｍ以上にしたものである。細線部の曲げに対して柄との付け根付近に応力が掛かり、折れる際に根元付近で折れるものとなる。
図６（ｂ）には、スリーブ部６を接合する前の状態を示す。
柄４には段差溝７を設け、スリーブ部６には柄４に差込時に段差溝７に掛かる突起部８を設け、勘合する構造とする。又、柄４とスリーブ部６は勘合後、接着しても良いものである。又、スリーブ部６は柔軟性のあるエラストマーや、シリコンゴムで形成し、はめ込む様にしても、熱収縮性の材料で、熱を加えて収縮させ、取り付けたり、射出成型器で、インサート成形してもよいものである。
スリーブの形状は、長い細線部２ａ先端部方向に従い、徐々に肉厚を少なく、作用部３付近に向かい徐々にたわみを大きくし、長い細線部２ａに掛かる無理な力を、吸収し、柄の根元付近に応力が掛かり、折れる際に根元付近で折れるものとなる。また、折れた際、折れた先端部が広がらず、スリーブ内に収まり、刺さらない効果もある。
さらに、０．４５ｍｍのステンレス丸鋼線を大とし、中、小を０．４ｍｍのステンレス鋼線とし、柄４の根元から作用部３の先端部までの長さを３２ｍｍとし、作用部先端から１５ｍｍを残しスリーブを設けたものがたわみ具合も良く、良好であった。
【図面の簡単な説明】
【００１１】
【図１】細線部の根元にＵ字状受け部を設けた、実施例の正面図と平面図を示す。
【図２】細線部を長い細線部とした別の実施例の正面図と平面図を示す。
【図３】丸断面細線をロールし、長い細線部とした別の実施例の正面図と平面図を示す。
【図４】細線部を複数用い、長い細線部とした別の実施例の正面図と平面図を示す。
【図５】細線部を複数用いた別の実施例の正面図と平面図を示す。
【図６】細線部を長い細線部とし、スリーブを設けた別の実施例の正面図と平面図（一部断面図）を示す。
【符号の説明】
【００１２】
１  耳かき
２  細線部
２ａ  長い細線部
３  作用部
４  柄
５  Ｕ字受け部
６  スリーブ部
７  段差溝
８  突起部
【図１】
0003158477.tif 000003
【図２】
0003158477.tif 000004
【図３】
0003158477.tif 000005
【図４】
0003158477.tif 000006
【図５】
0003158477.tif 000007
【図６】
0003158477.tif 000008